(57)【特許請求の範囲】
【請求項１】
把手を有する蓋天板を備えて流しの排水口の上部に設けられる蓋本体と、消臭用、芳香用、ヌメリ除去用のうちいずれか一以上の作用を有する薬剤を収納した状態で前記蓋本体の裏側に形成される空間内に保持される通気性を有する薬剤収納部材とを備え、更に、この薬剤収納部材を前記空間内に保持するための保持手段を前記蓋本体とは別体に設け、また、前記保持手段は、二つ割りに形成されており、孔を有するとともに、前記把手を上側に向けた状態で前記蓋本体を流しの排水口の上部以外の場所に設置したときに、前記孔を介して前記薬剤収納部材に水分が侵入するのを防ぐために前記孔を設置面から浮かすための部材を有することを特徴とする蓋。
【請求項２】
把手を有する蓋天板を備えて流しの排水口の上部に設けられる蓋本体と、消臭用、芳香用、ヌメリ除去用のうちいずれか一以上の作用を有する薬剤を収納した状態で前記蓋本体の裏側に形成される空間内に保持される通気性を有する薬剤収納部材とを備え、更に、この薬剤収納部材を前記空間内に保持するための保持手段を前記蓋本体と一体に設け、また、前記保持手段は、孔を有するとともに、前記把手を上側に向けた状態で前記蓋本体を流しの排水口の上部以外の場所に設置したときに、前記孔を介して前記薬剤収納部材に水分が侵入するのを防ぐために前記孔を設置面から浮かすための部材を有することを特徴とする蓋。
【請求項３】
流しの排水口の上部に設けられる菊割れフタに対し着脱自在に設置され、流しのシンクに水、湯または混合水を溜めるために用いられる請求項１または２に記載の蓋。
【請求項４】
流しの排水口の上部に直接設けられる請求項１または２に記載の蓋。
【発明の詳細な説明】
【技術分野】
【０００１】
この発明は、流しの排水口の上部に設けられる菊割れフタに対し着脱自在に設置されたり、流しの排水口の上部に直接設けられたりする蓋に関するものである。
【背景技術】
【０００２】
流しの排水口の上部に設けた菊割れフタに嵌めて菊割れフタに形成されている複数の排水孔等を塞ぎ、流しのシンクに水、湯または混合水を溜めるために菊割れフタに対し着脱自在に設置される蓋は菊割れフタとセットで販売され、また、流しの排水口に設置されるゴミ受けカゴに付着している生ゴミや下水からの異臭が外部に漏れないようにするために流しの排水口の上部に直接設けられる蓋は単独で販売されている。
【発明の開示】
【発明が解決しようとする課題】
【０００３】
ところで、例えば前記異臭を消すために市販の消臭剤が使用されているが、これを前記ゴミ受けカゴ等に設置する必要があった。
【０００４】
この発明は、消臭用、芳香用、ヌメリ除去用のうちいずれか一以上の作用を有する薬剤を裏側に設けた蓋を提供することを目的とする。
【課題を解決するための手段】
【０００５】
上記目的を達成するために、請求項１に係る発明の蓋は、把手を有する蓋天板を備えて流しの排水口の上部に設けられる蓋本体と、消臭用、芳香用、ヌメリ除去用のうちいずれか一以上の作用を有する薬剤を収納した状態で前記蓋本体の裏側に形成される空間内に保持される通気性を有する薬剤収納部材とを備え、更に、この薬剤収納部材を前記空間内に保持するための保持手段を前記蓋本体とは別体に設け、また、前記保持手段は、二つ割りに形成されており、孔を有するとともに、前記把手を上側に向けた状態で前記蓋本体を流しの排水口の上部以外の場所に設置したときに、前記孔を介して前記薬剤収納部材に水分が侵入するのを防ぐために前記孔を設置面から浮かすための部材を有することを特徴とする。
また、請求項２に係る発明の蓋は、把手を有する蓋天板を備えて流しの排水口の上部に設けられる蓋本体と、消臭用、芳香用、ヌメリ除去用のうちいずれか一以上の作用を有する薬剤を収納した状態で前記蓋本体の裏側に形成される空間内に保持される通気性を有する薬剤収納部材とを備え、更に、この薬剤収納部材を前記空間内に保持するための保持手段を前記蓋本体と一体に設け、また、前記保持手段は、孔を有するとともに、前記把手を上側に向けた状態で前記蓋本体を流しの排水口の上部以外の場所に設置したときに、前記孔を介して前記薬剤収納部材に水分が侵入するのを防ぐために前記孔を設置面から浮かすための部材を有することを特徴とする。
【発明の効果】
【０００６】
請求項１，２に係る発明では、把手を有する蓋天板を備えて流しの排水口の上部に設けられる蓋本体の裏側に形成される空間内に、消臭用、芳香用、ヌメリ除去用のうちいずれか一以上の作用を有する薬剤を収納した通気性を有する薬剤収納部材を保持手段で保持するようにし、この保持手段に孔を設けている。この場合、請求項１に係る発明では、前記保持手段を前記蓋本体とは別体に設け、二つ割りに形成している。また、請求項２に係る発明では、前記保持手段を前記蓋本体と一体に設けている。
そして、請求項１，２に係る発明の蓋を例えば流しの排水口の上部に直接設けたときは、前記孔を介して、流しの排水口に設置されるゴミ受けカゴに付着している生ゴミや下水からの異臭を消すことができ、また、流しの排水口の上部に設けられる菊割れフタ上に設置したときには、前記孔を介して、菊割れフタに付着している生ゴミからの異臭も消すことができる。
【０００７】
また、請求項１，２に係る発明では、前記把手を上側に向けた状態で前記蓋本体を流しの排水口の上部以外の場所に設置したときに、前記孔を設置面から浮かすための部材を前記保持手段に設けたので、前記孔を介して前記薬剤収納部材に水分が侵入するのを防ぐことができることから、前記薬剤の効能を劣化させることなく長い間維持できる。
【発明を実施するための最良の形態】
【０００８】
以下、比較例を説明した後、この発明の実施の形態について説明する。なお、この発明はそれによって限定されるものではない。
【０００９】
図１〜図５は、薬剤として例えば生ゴミや下水用の消臭剤を蓋本体の裏側に設けてある比較例を示す。
【００１０】
図１〜図５において、１は、流しの排水口２の上部２ａにはめ込まれて使用される菊割れフタで、この菊割れフタ１の直下にメッシュ状のゴミ受けカゴＡが設置されている。
【００１１】
菊割れフタ１は、平面視円形の上方開口３ａを形成する内周面ｉを有する環状枠部３と、平面視円形の底部４とより主としてなる。底部４は、環状枠部３の内周面ｉから連設された複数の菊割れ舌片５で構成される。
【００１２】
前記環状枠部３は、径方向内側に突出した状態で形成された環状突条部６を内周面ｉに有する。前記底部４は、中心部分に丸孔７を有するとともに、ゴミ受けカゴＡに連通する複数の排水用長孔８を、丸孔７から離れた内周面ｉの側に円周方向に沿った状態で有する。前記排水用長孔８は、円周方向よりも径方向に長い。
【００１３】
９は、上方開口３ａを覆うよう菊割れフタ１の底部４上に着脱自在に設置される合成樹脂製の蓋本体である。蓋本体９は、平面視円形の蓋天板１１と、蓋天板１１の外周縁から垂下して連設された環状の垂下板１２とで構成される。
【００１４】
前記蓋天板１１は、表側の中央に縦断面凸状の把手Ｂを有し、この把手Ｂを挟むよう対称な形で対向配置された一対の凹所Ｃ，Ｃを有する。各凹所Ｃは、蓋天板１１の外周縁から把手Ｂの側にかけて下方に湾曲する湾曲面部Ｃ’によって形成されている。図２において、Ｃ’’は、湾曲面部Ｃ’の側面のうち凹所Ｃ，Ｃ同士が対向する位置にある側面で、把手Ｂの両側面を兼ねている。前記蓋９は、環状突条部６に垂下板１２の周面部１３の外周面が押圧された状態で菊割れフタ１の底部４上に着脱自在に設置される。そのため、前記押圧状態により底部４に設けた前記排水用長孔８および丸孔７へ排水が漏れるのを防止でき、流しのシンクＤに水、湯または混合水を溜めることができる。
【００１５】
【００１６】
１４は、蓋本体９の裏側に形成される空間で、把手Ｂの前記両側面Ｃ’’，Ｃ’’間に形成されている。この空間１４内には通気性を有する薬剤収納部材１０が、薬剤収納部材１０を前記空間１４内に保持するための保持手段（後述する）を介して保持されている。薬剤収納部材１０は、不織布よりなり、例えば生ゴミや下水用の消臭剤Ｐが収納されている。消臭剤Ｐは、多数の粒よりなる。
【００１７】
２０は、前記空間１４内に薬剤収納部材１０を保持するための合成樹脂製の保持部材（保持手段）で、この比較例では、蓋本体９と別体に設けられるとともに、保持部材２０は、前記空間１４を含む蓋本体９の裏側における蓋天板１１の径方向に沿って人力で嵌込まれ、また、前記裏側から取り外し自在となっている。保持部材２０は、長手方向が蓋天板１１の直径よりも僅かに長く、短手方向が前記両側面Ｃ’’，Ｃ’’間の長さに略等しい平面視矩形形状の上板１０ａと、この上板１０ａの長手方向の長さよりも短い長さを長手方向に有して上板１０ａ直下の中央位置に設けられた底板１０ｂと、上板１０ａの長手方向における両端部分１６，１６を残す形で、上板１０ａおよび底板１０ｂの短手方向におけるそれぞれ両端面同士を連結する平面視逆等脚台形の一対の側板１７，１７とで主として構成される。そして、保持部材２０の高さ、すなわち、底板１０ｂおよび上板１０ａ間の長さは、保持部材２０を空間１４内に嵌込んだときに底板１０ｂが空間１４内から下方にはみ出す長さに設定されている。また、薬剤Ｐが収納された状態の薬剤収納部材１０は、薬剤収納部材１０が両側板１７，１７によって押圧されながら保持部材２０内に挿入設置される程度の短手方向の長さを有するのが好ましく、底板１０ｂの長手方向の長さと略同じ長さを長手方向に有するのが好ましい。１８は、保持部材２０の長手方向における両端部分に形成された開口で、薬剤Ｐが収納された薬剤収納部材１０の取り入れ、取り出し口として機能する。更に、前記底板１０ｂは、消臭剤Ｐから発生したガスを前記蓋天板１１より下方に導出させるための複数のガス導出孔２１を長手方向に沿って有するとともに、このガス導出孔２１を仕切る形で底板１０ｂの底面２３から下方に延設された複数の脚片２４を有する。この脚片２４は、左右両端のガス導出孔２１の外側にも形成されている。前記脚片２４は、把手Ｂを上側に向けた状態で前記蓋本体９を流しの排水口２の上部以外の場所、例えば流しのシンクＤの上面３０（図１参照）に設置したときに、前記ガス導出孔２１を介して前記薬剤収納部材１０に水分が侵入するのを防ぐために前記ガス導出孔２１を上面（設置面）３０から浮かすものとして機能する。
【００１８】
また、保持部材２０は、人力で蓋本体９の裏側（蓋天板１１の裏側）の前記空間１４内に嵌込んだとき、蓋本体９の垂下板１２における対向する位置の内周部分が保持部材２０によって押圧される状態となるよう、長手方向に弾性変形可能なように両端部分１６，１６に切欠き１６ａ，１６ａを有するとともに、切欠き１６ａの外側の両端部分１６，１６の先端に鋸波状に形成された部分１６ｂを有する。そして、蓋本体９と薬剤収納部材１０と保持部材２０とから蓋３９が構成される。  
【００１９】
この比較例では、薬剤Ｐが収納された薬剤収納部材１０を開口１８から保持部材２０内に挿入し、蓋本体９の裏側の前記空間１４内に保持部材２０を嵌込むことで蓋３９が構成される。そして、この蓋３９を菊割れフタ１の底部４上に設置することで、薬剤Ｐから発生したガスが不織布の薬剤収納部材１０から外部に流れ、この流れ出たガスがガス導出孔２１ならびに開口１８，１８を通ってガスを蓋天板１１より下方に導出させることができる。そのため、流しの排水口２に設置されるゴミ受けカゴＡに付着している生ゴミや下水からの異臭を消すことができるとともに、流しの排水口２の上部に設けられる菊割れフタ１に付着している生ゴミからの異臭を消すことができる。
【００２０】
図６、図７は、蓋本体９の裏側に形成される空間１４内に薬剤収納部材１０を保持するための保持手段２０’を蓋本体９と一体に設けたこの発明の第１の実施形態を示す。なお、図６、図７において、図１〜図５に示す符号と同一のものは同一または相当物である。また、この実施形態では、上記比較例で用いたのと同一形状の菊割れフタ１を採用してもよいし、また、流しの排水口２の上部に直接設けてもよく、この場合、直下にはゴミ受けカゴＡが位置する。
【００２１】
図６、図７において、保持手段２０’は、薬剤Ｐが収納された薬剤収納部材１０を、蓋本体９の裏側で把手Ｂの側面Ｃ’’，Ｃ’’間に形成される前記空間１４内に保持するためのものであり、蓋天板１１の表側に形成される一対の凹所Ｃ，Ｃを構成する湾曲面部Ｃ’，Ｃ’同士が把手Ｂの位置において連設されてなる保持部から構成される。そして、この保持部２０’は、消臭剤Ｐから発生したガスを蓋天板１１より下方に導出させるための複数のガス導出孔２１を長手方向に沿って有するとともに、このガス導出孔２１を仕切る形で連設位置から下方に延設された複数の脚片２４を有する。この脚片２４は、左右両端のガス導出孔２１の外側にも形成されている。前記脚片２４は、把手Ｂを上側に向けた状態で前記蓋本体９を流しの排水口の上部以外の場所、例えば流しのシンクＤの上面３０（図１参照）に設置したときに、前記ガス導出孔２１を介して前記薬剤収納部材１０に水分が侵入するのを防ぐために前記ガス導出孔２１を上面（設置面）３０から浮かすものとして機能する。１８’は、保持部２０’の長手方向における両端部分に形成された開口で、薬剤Ｐが収納された薬剤収納部材１０の取り入れ、取り出し口として機能する。そして、保持部材２０’を備えた蓋本体９と、薬剤収納部材１０とから蓋３９が構成される。
【００２２】
図８、図９は、上記比較例で用いたような、蓋本体９と別体に設けられ保持手段２０の左右両開口１８，１８を閉塞するとともに、薬剤Ｐが収納された薬剤収納部材１０を保持手段内に設置するために当該保持手段を二つ割りに形成してあるこの発明の第２の実施形態を示す。なお、図８、図９において、図１〜図７に示す符号と同一のものは同一または相当物である。また、この実施形態では、上記比較例や第１の実施形態で用いたのと同一形状の菊割れフタ１を採用してもよいし、また、流しの排水口２の上部に直接設けてもよく、この場合、直下にはゴミ受けカゴＡが位置する。
【００２３】
図８、図９において、保持部材（保持手段）２０’は、合成樹脂製で、前記空間１４内に薬剤収納部材１０を保持するためのものであり、この実施形態では、蓋本体９と別体に設けられるとともに、保持部材２０’は、前記空間１４を含む蓋本体９の裏側における蓋天板１１の径方向に沿って人力で嵌込まれ、また、裏側から取り外し自在となっている。保持部材２０’は、長手方向が蓋天板１１の直径よりも僅かに長く、短手方向が把手Ｂの前記両側面Ｃ’’，Ｃ’’間の長さに略等しい平面視矩形形状の上板１０ａと、この上板１０ａの長手方向の長さよりも短い長さを長手方向に有して上板１０ａ直下の中央位置に設けられた底板１０ｂと、上板１０ａの長手方向における両端部分１６，１６を残す形で、上板１０ａおよび底板１０ｂの短手方向におけるそれぞれ両端面同士を連結する平面視逆等脚台形の一対の側板１７，１７とより構成される。更に、保持部材２０’は、カット部分５１，５２，５３を介して二つ割りに形成されており、左右の両端部分１６，１６に設けた一対のヒンジ５０，５０によって前後に開閉される。
【００２４】
而して、保持部材２０’を開いた状態で、その開口６０から薬剤Ｐが収納された薬剤収納部材１０を保持部材２０’内に挿入し、蓋本体９の裏側の前記空間１４内に保持部材２０’を嵌込むことでこの発明の蓋３９が構成される。そして、この蓋３９を菊割れフタ１の底部４上に設置することで、薬剤Ｐから発生したガスが不織布の薬剤収納部材１０から外部に流れ、この流れ出たガスがガス導出孔２１を通ってガスを蓋天板１１より下方に導出させることができる。そのため、流しの排水口２に設置されるゴミ受けカゴＡに付着している生ゴミや下水からの異臭を消すことができるとともに、流しの排水口２の上部に設けられる菊割れフタ１に付着している生ゴミからの異臭を消すことができる。
【図面の簡単な説明】
【００２５】
【図１】比較例を示す分解斜視図である。
【図２】上記比較例における薬剤収納動作を示す分解斜視図である。
【図３】上記比較例を示す構成説明図である。
【図４】上記比較例における薬剤収納動作を示す構成説明図である。
【図５】上記比較例における使用状態を示す構成説明図である。
【図６】この発明の第１の実施形態における薬剤収納動作を示す分解斜視図である。
【図７】上記第１の実施形態を示す構成説明図である。
【図８】この発明の第２の実施形態における薬剤収納動作を示す分解斜視図である。
【図９】上記第２の実施形態における薬剤収納動作を示す構成説明図である。
【符号の説明】
【００２６】
２      流しの排水口
２ａ    上部
９      蓋本体
１０    薬剤収納部材
１１    蓋天板
１４    空間
２０’  保持部材（保持手段）
２１    孔
２４    脚片
Ｂ      把手
Ｐ      薬剤
【図１】
0003709193.tif 000002
【図２】
0003709193.tif 000003
【図３】
0003709193.tif 000004
【図４】
0003709193.tif 000005
【図５】
0003709193.tif 000006
【図６】
0003709193.tif 000007
【図７】
0003709193.tif 000008
【図８】
0003709193.tif 000009
【図９】
0003709193.tif 000010